(57)【要約】【課題】本発明は、磁気ディスク駆動装置の着脱時の作業性を改善できるとともに、部品点数を削減できる情報記憶装置を得ることにある。【解決手段】情報記憶装置は、互いに積み重ねられた少なくとも２台の磁気ディスク駆動装置(16a, 16b)と、一つの磁気ディスク駆動装置(16a)に取り付けられた第１のシャーシ(20)と、他の磁気ディスク駆動装置(16b)に取り付けられた第２のシャーシ(31)と、を備えている。第１のシャーシ(20)は、天板(19)取り外し可能に支持される複数の第１の支持部(24)と、第１の支持部(24)を外れた位置に形成された複数の第２の支持部(28)とを有する。第２のシャーシ(31)は、磁気ディスク駆動装置(16a, 16b)を互いに積み重ねた時に、第２の支持部(28)と向かい合う複数の第３の支持部(35)を有する。第２の支持部(28)と第３の支持部(35)との間が防振体(38)を介して取り外し可能に連結されている。【選択図】図３
2011048790.tif 000002
【特許請求の範囲】
【請求項１】
少なくとも２台の磁気ディスク駆動装置を互いに積み重ねた情報記憶装置であって、
一つの磁気ディスク駆動装置に取り付けられた第１のシャーシと、
他の磁気ディスク駆動装置に取り付けられた第２のシャーシと、を含み、
前記第１のシャーシは、被取り付け部に取り外し可能に支持される複数の第１の支持部と、前記第１の支持部を外れた位置に形成された複数の第２の支持部と、を有し、前記第２のシャーシは、前記磁気ディスク駆動装置を互いに積み重ねた時に、前記第２の支持部と向かい合う複数の第３の支持部を有し、前記第２の支持部と前記第３の支持部との間が防振体を介して取り外し可能に連結されていることを特徴とする情報記憶装置。
【請求項２】
請求項１の記載において、前記第１の支持部および前記第２の支持部は、前記一つの磁気ディスク駆動装置の周囲において互いに隣り合うように配置されていることを特徴とする情報記憶装置。
【請求項３】
請求項２の記載において、前記積み重ねられた磁気ディスク駆動装置の間に隙間が形成され、この隙間は、前記防振体の厚みよりも大きいことを特徴とする情報記憶装置。
【請求項４】
請求項３の記載において、前記第２のシャーシは、前記他の磁気ディスク駆動装置にねじを介して固定され、このねじの頭部が前記隙間に露出されていることを特徴とする情報記憶装置。
【請求項５】
請求項１の記載において、前記積み重ねられた磁気ディスク駆動装置の間に、前記防振体の変形に伴う前記一つの磁気ディスク駆動装置と前記他の磁気ディスク駆動装置の相互の干渉又は前記第１のシャーシと前記第２のシャーシの相互の干渉を回避する隙間が形成されていることを特徴とする情報記憶装置。
【請求項６】
筐体と、
前記筐体の内部に互いに積み重ねて収容された少なくとも２台の磁気ディスク駆動装置と、
一つの磁気ディスク駆動装置に取り付けられた第１のシャーシと、
他の磁気ディスク駆動装置に取り付けられた第２のシャーシと、を含み、
前記第１のシャーシは、前記筐体に防振体を介して取り外し可能に支持された複数の第１の支持部と、前記第１の支持部を外れた位置に形成された複数の第２の支持部と、を有し、前記第２のシャーシは、前記磁気ディスク駆動装置を互いに積み重ねた時に、前記第２の支持部と向かい合う複数の第３の支持部を有し、前記第２の支持部と前記第３の支持部との間が防振体を介して取り外し可能に連結されていることを特徴とする電子機器。
【請求項７】
請求項６の記載において、前記第１の支持部および前記第２の支持部は、前記一つの磁気ディスク駆動装置の周囲において互いに隣り合うように配置されていることを特徴とする電子機器。
【請求項８】
請求項６の記載において、前記筐体と前記一つの磁気ディスク駆動装置との間、および互いに積み重ねられた前記複数の磁気ディスク駆動装置の間に夫々隙間が形成され、各隙間は、前記防振体の厚みよりも大きいことを特徴とする電子機器。
【発明の詳細な説明】
【技術分野】
【０００１】
本発明は、互いに積み重ねられた少なくとも２台の磁気ディスク駆動装置を有する情報記憶装置に関する。さらに本発明は、筐体の内部に少なくとも２台の磁気ディスク駆動装置を互いに積み重ねて収容した電子機器に関する。
【背景技術】
【０００２】
例えば複数のテレビ番組を同時に録画したり、あるいは長時間番組を録画する際に、テレビに接続して使用する録画装置が知られている。
【０００３】
この種の録画装置は、箱形の筐体と、この筐体の内部に収容された複数のハードディスク駆動装置とを備えている。ハードディスク駆動装置は、筐体の内部の限られたスペースに収めるべく、筐体の内部で互いに積み重ねて配置されている。
【０００４】
特許文献１は、例えば２台のハードディスク駆動装置を積み重ねて固定するためのハードディスク取り付け装置を開示している。この従来のハードディスク取り付け装置によると、２台のハードディスク駆動装置は収納ケースに収容されている。収納ケースは、ハードディスク駆動装置を間に挟んで向かい合う左右の側壁を有し、これら側壁の内面にガイドレールが取り付けられている。２台のハードディスク駆動装置は、個々にガイドレールに取り外し可能に支持されている。
【先行技術文献】
【特許文献】
【０００５】
【特許文献１】特開平６−３０９８５９号公報
【発明の概要】
【発明が解決しようとする課題】
【０００６】
特許文献１によると、２台のハードディスク駆動装置は、互いに異なる固定手段で収納ケースのガイドレールに支持されている。このような構成では、ハードディスク駆動装置を収納ケースから取り外すには、ガイドレールに対する固定を１台ずつ解除しなくてはならず、ハードディスク駆動装置を収納ケースから取り外す際の作業性が悪くなる。
【０００７】
さらに、ハードディスク駆動装置毎に専用の固定手段を必要とするので、部品点数が多くなるのを避けられない。この結果、ハードディスク駆動装置を固定するための構造が煩雑となり、ハードディスク取り付け装置のコスト高を招く要因となるといった不具合がある。
【０００８】
本発明の目的は、積み重ねられた複数の磁気ディスク駆動装置を同時もしくは単体で取り外すことができ、磁気ディスク駆動装置を取り外す際の作業性を改善できるとともに、部品点数を削減できる情報記憶装置を得ることにある。
【０００９】
本発明の他の目的は、筐体内で積み重ねられた複数の磁気ディスク駆動装置を同時もしくは単体で取り外すことができ、磁気ディスク駆動装置を取り外す際の作業性を改善できるとともに、部品点数を削減できる電子機器を得ることにある。
【課題を解決するための手段】
【００１０】
上記目的を達成するため、本発明の一つの形態に係る情報記憶装置は、  
少なくとも２台の磁気ディスク駆動装置を互いに積み重ねた情報記憶装置を前提としており、一つの磁気ディスク駆動装置に取り付けられた第１のシャーシと、他の磁気ディスク駆動装置に取り付けられた第２のシャーシと、を備えている。  
前記第１のシャーシは、被取り付け部に取り外し可能に支持される複数の第１の支持部と、前記第１の支持部を外れた位置に形成された複数の第２の支持部と、を有し、前記第２のシャーシは、前記磁気ディスク駆動装置を互いに積み重ねた時に、前記第２の支持部と向かい合う複数の第３の支持部を有し、前記第２の支持部と前記第３の支持部との間が防振体を介して取り外し可能に連結されていることを特徴としている。
【００１１】
前記目的を達成するため、本発明の一つの形態に係る電子機器は、  
筐体と、前記筐体の内部に互いに積み重ねて収容された少なくとも２台の磁気ディスク駆動装置と、一つの磁気ディスク駆動装置に取り付けられた第１のシャーシと、他の磁気ディスク駆動装置に取り付けられた第２のシャーシと、を備えている。  
前記第１のシャーシは、前記筐体に防振体を介して取り外し可能に支持された複数の第１の支持部と、前記第１の支持部を外れた位置に形成された複数の第２の支持部と、を有し、前記第２のシャーシは、前記磁気ディスク駆動装置を互いに積み重ねた時に、前記第２の支持部と向かい合う複数の第３の支持部を有し、前記第２の支持部と前記第３の支持部との間が防振体を介して取り外し可能に連結されていることを特徴としている。
【発明の効果】
【００１２】
本発明によれば、複数の磁気ディスク駆動装置を互いに重なり合ったままの状態で同時に取り出したり、一つの磁気ディスク駆動装置と重なり合う他の磁気ディスク駆動装置を単独で取り出すことが可能となる。そのため、磁気ディスク駆動装置を取り外す必要が生じた時の作業性を改善できる。
【００１３】
しかも、防振体を共通化することにより、少なくとも２台の磁気ディスク駆動装置を積み重ねるに当たって必要とする専用の部品は、第１および第２のシャーシの二点で済むことになる。よって、部品点数を少なく抑えてコストを低減することができる。
【図面の簡単な説明】
【００１４】
【図１】本発明の実施の形態に係るテレビ接続機器の斜視図。
【図２】本発明の実施の形態に係るテレビ接続機器の内部の構造を概略的に示す斜視図。
【図３】本発明の実施の形態で用いる情報記憶モジュールの斜視図。
【図４】本発明の実施の形態で用いる情報記憶モジュールの平面図。
【図５】本発明の実施の形態で用いる情報記憶モジュールの背面図。
【図６】本発明の実施の形態において、筐体の内部に情報記憶モジュールを組み込んだ状態を示す断面図。
【図７】図６のF7線の方向から見た情報記録モジュールの側面図。
【図８】図４のF8-F8線に沿う断面図。
【発明を実施するための形態】
【００１５】
以下本発明の実施の形態を図１ないし図８に基づいて説明する。
【００１６】
図１は、電子機器の一例であるテレビ接続機器１を示している。テレビ接続機器１は、液晶テレビに接続して使用するものであり、例えば各種のテレビ番組を受信する機能および複数のテレビ番組を同時に録画したり、長時間番組を録画する機能を有している。
【００１７】
テレビ接続機器１は、偏平な箱形の機器本体２を備えている。機器本体２は、金属製の筐体３と、筐体３を覆う化粧カバー４と、化粧カバー４の前面を覆う左右のフロント扉５ａ，５ｂとを含んでいる。
【００１８】
筐体３は、機器本体２の骨格となるもので、フラットな底板６を有している。チューナモジュール７、電源モジュール８、カード接続装置９、第１の情報記憶モジュール１０および第２の情報記憶モジュール１１が筐体３の底板６の上に配置されている。
【００１９】
チューナモジュール７および電源モジュール８は、機器本体２の後半部に位置されている。カード接続装置９、第１の情報記憶モジュール１０および第２の情報記憶モジュール１１は、機器本体２の前半部に位置されているとともに、機器本体２の幅方向に一列に並んでいる。
【００２０】
カード接続装置９は、例えば地上デジタル／ＢＳデジタル放送等を受信するための６枚のＢ−ＣＡＳカードを挿入する六つのカードスロット１２を有している。カードスロット１２は、右側のフロント扉５ｂを開けた時に、装置本体２の前面に露出されるようになっている。
【００２１】
第１および第２の情報記憶モジュール１０，１１は、テレビ番組を録画したり、録画したテレビ番組を迅速に検索して再生するためのものである。第１の情報記憶モジュール１０は、例えば２台の５インチサイズのハードディスク駆動装置１４ａ，１４ｂを備えている。ハードディスク駆動装置１４ａ，１４ｂは、夫々ホルダ１５を介して水平に支持されているとともに、機器本体２の厚み方向に沿って互いに積み重ねられている。
【００２２】
図２および図３に示すように、第２の情報記憶モジュール１１は、磁気ディスク駆動装置としての３．５インチサイズの２台のハードディスク駆動装置１６ａ，１６ｂを備えている。各ハードディスク駆動装置１６ａ，１６ｂは、基台とトップカバーとで構成された密閉ケース１７を有している。複数の磁気ディスク、磁気ヘッドを有するキャリッジ、磁気ディスクを駆動するモータのような各種の構成要素が密閉ケース１７の内部に収容されている。さらに、密閉ケース１７の一端に図５に示すコネクタ１７ａが配置されている。
【００２３】
図２および図６に示すように、２台のハードディスク駆動装置１６ａ，１６ｂは、支持台１８の上に機器本体２の厚み方向に沿って互いに積み重ねた状態で支持されており、以下、このハードディスク駆動装置１６ａ，１６ｂの支持構造について説明する。
【００２４】
支持台１８は、筐体３の底板６の上にねじ止めのような手段で固定されている。支持台１８は、水平な天板１９を有している。天板１９は、被取り付け部の一例であり、筐体３と一体化されて底板６の上方に位置されている。
【００２５】
図３、図５ないし図７に示すように、一つのハードディスク駆動装置１６ａの密閉ケース１７に金属製の第１のシャーシ２０が取り付けられている。第１のシャーシ２０は、四角い支持板２１を備えている。支持板２１は、ハードディスク駆動装置１６ａの密閉ケース１７の平面形状と同等の大きさを有し、その四隅部がねじ２２を介して密閉ケース１７の底に固定されている。さらに、支持板２１の中央部には、軽量化を図るために四角い開口部２１ａが形成されている。
【００２６】
支持板２１は、第１の側縁２３ａおよび第２の側縁２３ｂを有している。第１の側縁２３ａおよび第２の側縁２３ｂは、密閉ケース１７の幅方向に間隔を存して互いに平行に延びている。
【００２７】
支持板２１の第１の側縁２３ａおよび第２の側縁２３ｂに夫々一対の第１の支持片２４が形成されている。第１の支持片２４は、第１の支持部の一例であって、支持板２１の第１および第２の側縁２３ａ，２３ｂの両端から下向きに折れ曲がった後、支持板２１の側方に向けて水平に張り出している。そのため、第１の支持片２４は、支持板２１の四隅に位置するように、ハードディスク駆動装置１６ａの周囲に間隔を存して配置されている。
【００２８】
さらに、夫々の第１の支持片２４にスリット２５が形成されている。スリット２５は、第１の支持片２４の先端縁から支持板２１の第１および第２の側縁２３ａ，２３ｂに向けて切り込まれている。
【００２９】
図７に示すように、一対の側板２７ａ，２７ｂが支持板２１に形成されている。一方の側板２７ａは、支持板２１の第１の側縁２３ａから略垂直に立ち上がるとともに、第１の側縁２３ａの側方に張り出す一対の第１の支持片２４の間に位置されている。同様に、他方の側板２７ｂは、支持板２１の第２の側縁２３ｂから略垂直に立ち上がるとともに、第２の側縁２３ｂの側方に張り出す一対の第１の支持片２４の間に位置されている。そのため、側板２７ａ，２７ｂは、密閉ケース１７を間に挟んで互いに向かい合っている
側板２７ａ，２７ｂの上縁に夫々一対の第２の支持片２８が形成されている。第２の支持片２８は、第２の支持部の一例であって、側板２７ａ，２７ｂの上縁の両端から支持板２１の側方に向けて水平に張り出すとともに、夫々ねじ孔２９を有している。
【００３０】
第２の支持片２８は、第１の支持片２４と重なることがないように、第１の支持片２４から外れた位置にずれている。本実施の形態では、側板２７ａの上縁に形成された一対の第２の支持片２８は、支持板２１の第１の側縁２３ａに形成された一対の第１の支持片２４の間に配置されている。同様に、側板２７ｂの上縁に形成された一対の第２の支持片２８は、支持板２１の第２の側縁２３ｂに形成された一対の第１の支持片２４の間に配置されている。
【００３１】
したがって、図５に示すように、第１および第２の支持片２４，２８は、ハードディスク駆動装置１６ａの周囲において互いに隣り合うように並んでいる。
【００３２】
さらに、第１の側縁２３ａに位置する一対の第１の支持片２４と、第２の側縁２３ｂに位置する一対の第１の支持片２４とは、支持板２１の幅方向に沿う中心線Ｏ１に対し互いに対称に配置されている。同様に、一方の側板２７ａの上縁に位置する一対の第２の支持片２８と、他方の側板２７ｂの上縁に位置する一対の第２の支持片２８とは、中心線Ｏ１に対し互いに対称に配置されている。
【００３３】
そのため、第１のシャーシ２０をハードディスク駆動装置１６ａに取り付ける時に、第１のシャーシ２０の向きに制約はなく、それ故、第１のシャーシ２１の取り扱いを容易に行えるようになっている。
【００３４】
他のハードディスク駆動装置１６ｂの密閉ケース１７に金属製の第２のシャーシ３１が取り付けられている。第２のシャーシ３１は、四角い支持板３２を備えている。支持板３２は、第１のシャーシ２０の支持板２１と同等の大きさを有し、その四隅部がねじ３３を介して密閉ケース１７の底に固定されている。
【００３５】
図４および図７に示すように、支持板３２は、第１の側縁３４ａおよび第２の側縁３４ｂを有している。第１の側縁３４ａおよび第２の側縁３４ｂは、密閉ケース１７の幅方向に間隔を存して互いに平行に延びている。
【００３６】
支持板３２の第１の側縁３４ａおよび第２の側縁３４ｂに夫々一対の第３の支持片３５が形成されている。第３の支持片３５は、第３の支持部の一例であって、支持板３２の第１および第２の側縁３４ａ，３４ｂの両端から支持板３２の側方に向けて水平に張り出している。第３の支持片３５は、他のハードディスク駆動装置１６ｂを一つのハードディスク駆動装置１６ａの上に積み重ねた時に、第１のシャーシ２０の第２の支持片２８と向かい合うようになっている。
【００３７】
さらに、第３の支持片３５に夫々スリット３６が形成されている。スリット３６は、第３の支持片３５の先端縁から支持板３２の第１および第２の側縁３４ａ，３４ｂに向けて切り込まれている。
【００３８】
図４に示すように、第１の側縁３４ａに位置する一対の第３の支持片３５と、第２の側縁３４ｂに位置する一対の第３の支持片３５とは、支持板３２の幅方向に沿う中心線Ｏ２に対し互いに対称に配置されている。
【００３９】
これにより、第２のシャーシ３１をハードディスク駆動装置１６ｂに取り付ける時に、第２のシャーシ３１の向きに制約はなく、その分、第２のシャーシ３１の取り扱いを容易に行えるようになっている。
【００４０】
図３ないし図８に示すように、第１のシャーシ２０の第１の支持片２４および第２のシャーシ３１の第３の支持片３５に夫々防振体としてのゴムダンパ３８が取り付けられている。ゴムダンパ３８は、中空の円筒状をなす共通の部品であり、その外周面の軸方向に沿う中間部に嵌合溝３９が形成されている。
【００４１】
ゴムダンパ３８は、嵌合溝３９を第１の支持片２４のスリット２５に押し込むことで第１の支持片２４に保持されている。同様に、ゴムダンパ３８は、嵌合溝３９を第３の支持片３５のスリット３６に押し込むことで第３の支持片３５に保持されている。
【００４２】
そのため、ゴムダンパ３８は、第１および第３の支持片２４，３５から下向きに突出する第１の部分３８ａと、第１および第３の支持片２４，３５から上向きに突出する第２の部分３８ｂとを有している。第１の部分３８ａの突出量と第２の部分３８ｂの突出量は、互いに同等となっている。
【００４３】
２台のハードディスク駆動装置１６ａ，１６ｂを積み重ねた状態では、第３の支持片３５に取り付けられたゴムダンパ３８の第１の部分３８ａが第３の支持片３５と第２の支持片２８との間に介在されている。
【００４４】
第２の支持片２８と第３の支持片３５との間は、ねじ４１を介して取り外し可能に連結されている。ねじ４１は、ゴムダンパ３８を貫通するとともに、第２の支持片２８のねじ孔２９にねじ込まれている。さらに、各ねじ４１の頭部４１ａは、ワッシャ４２を介してゴムダンパ３８の第２の部分３８ｂの上面に接している。
【００４５】
このため、ねじ４１を所定のトルクで締め付けた状態では、ゴムダンパ３８がワッシャ４２と第２の支持片２８との間で軸方向に圧縮されて、第２のシャーシ３１を第１のシャーシ２０に対し弾性的に支持している。
【００４６】
図７に示すように、２台のハードディスク駆動装置１６ａ，１６ｂを積み重ねた状態では、下段に位置するハードディスク駆動装置１６ａの密閉ケース１７の上面と第２のシャーシ３１の支持板３２との間に隙間４４が形成されている。隙間４４は、ゴムダンパ３８の第１の部分３８ａの厚みよりも大きく設定され、この隙間４４に第２のシャーシ３１をハードディスク駆動装置１６ｂに固定するねじ３３の頭部が露出されている。
【００４７】
一方、２台のハードディスク駆動装置１６ａ，１６ｂは、互いに積み重ねられた状態で支持台１８の天板１９の上に置かれている。これにより、第１のシャーシ２０の第１の支持片２４に取り付けられたゴムダンパ３８の第１の部分３８ａが第１の支持片２４と天板１９との間に介在されている。
【００４８】
第１の支持片２４と天板１９との間は、共通のねじ４１を介して取り外し可能に連結されている。ねじ４１は、ゴムダンパ３８を貫通するとともに、天板１９に開けたねじ孔４５にねじ込まれている。さらに、ねじ４１の頭部４１ａは、共通のワッシャ４２を介してゴムダンパ３８の第２の部分３８ｂの上面に接している。
【００４９】
このため、ねじ４１を所定のトルクで締め付けた状態では、ゴムダンパ３８がワッシャ４２と天板１９との間で軸方向に圧縮されて、第１のシャーシ２０を天板１９に対し弾性的に支持している。
【００５０】
図７に示すように、第１のシャーシ２０の支持板２１と天板１９との間に隙間４６が形成されている。隙間４６は、ゴムダンパ３８の第１の部分３８ａの厚みよりも大きく設定され、この隙間４６に第１のシャーシ２０をハードディスク駆動装置１６ａに固定するねじ２２の頭部が露出されている。
【００５１】
なお、２台のハードディスク駆動装置１６ａ，１６ｂは、互いに積み重ねて一つのユニットとした状態で支持台１８の天板１９に組み付けてもよいし、ハードディスク駆動装置１６ａに取り付けた第１のシャーシ２０を天板１９に組み付けた後、他のハードディスク駆動装置１６ｂに取り付けた第２のシャーシ３１を第１のシャーシ２０の上に積み重ねて固定するようにしてもよい。
【００５２】
このような本発明の実施の形態によれば、第１のシャーシ２０の第２の支持片２８は、第１の支持片２４と重なり合うことがないように、第１の支持片２４を外れた位置にずれている。これにより、第１のシャーシ２０を天板１９に固定するねじ４１の真上に、第２のシャーシ３１を第１のシャーシ２０に固定するねじ４１が位置することはない。
【００５３】
したがって、天板１９に対する第１の支持片２４の締め付けを解除すれば、第１のシャーシ２０に支えられた下段のハードディスク駆動装置１６ａと、第２のシャーシ３１に支えられた上段のハードディスク駆動装置１６ｂとを同時に天板１９から取り外すことができる。そのため、互いに積み重ねられた２台のハードディスク駆動装置１６ａ，１６ｂを、そのまま筐体３から同時に取り出すことができる。
【００５４】
それとともに、例えば上段に位置するハードディスク駆動装置１６ｂを交換する必要が生じた場合、このハードディスク駆動装置１６ｂを支える第２のシャーシ３１を第１のシャーシ２０から単独で取り外すことができる。
【００５５】
よって、２台のハードディスク駆動装置１６ａ，１６ｂが互いに積み重ねられているにも拘らず、ハードディスク駆動装置１６ａ，１６ｂを筐体３から取り出す際には、第１のシャーシ２０又は第２のシャーシ３１を締め付けている四つのねじ４１を弛めるだけでよく、作業性が向上する。
【００５６】
さらに、上記構成によると、第１の支持片２４および第３の支持片３５に支持されたゴムダンパ３８は、互いに共通の構成を有するとともに、ゴムダンパ３８を貫通するねじ４１も共通のものとなっている。これにより、２台のハードディスク駆動装置１６ａ，１６ｂを積み重ねるに当たって、専用の部品は第１および第２のシャーシ２０，３１の二点でよいことになる。この結果、部品点数や部品の種類を極力少なく抑えることができ、テレビ接続機器１の製造コストを低減することができる。
【００５７】
加えて、本実施の形態によると、ハードディスク駆動装置１６ａの密閉ケース１７の上面と第２のシャーシ３１の支持板３２との間の隙間４４は、ゴムダンパ３８の第１の部分３８ａの厚みよりも大きく設定され、この隙間４４に第２のシャーシ３１を上段のハードディスク駆動装置１６ｂに固定するねじ３３の頭部が露出されている。
【００５８】
同様に、第１のシャーシ２０の支持板２１と天板１９との間の隙間４６は、ゴムダンパ３８の第１の部分３８ａの厚みよりも大きく設定され、この隙間４６に第１のシャーシ２０を下段のハードディスク駆動装置１６ａに固定するねじ２２の頭部が露出されている。
【００５９】
これにより、例えばテレビ接続装置１が外部から大きな衝撃を受けて、ゴムダンパ３８が衝撃吸収のために大きく潰れるように変形した場合でも、下段のハードディスク駆動装置１６ａと上段のハードディスク駆動装置１６ｂの相互の干渉、第１のシャーシ２０の支持板２１と天板１９の相互の干渉および下段のハードディスク駆動装置１６ａと第２のシャーシ３１の支持板３２の相互の干渉を回避することができる。
【００６０】
したがって、ねじ３３の頭部が下段のハードディスク駆動装置１６ａに衝突したり、ねじ２２の頭部が天板１９に衝突するのを防止でき、ハードディスク駆動装置１６ａ，１６ｂに衝撃が伝わらずに済むといった利点がある。
【００６１】
なお、本発明は前記実施の形態に特定されるものではなく、発明の趣旨を逸脱しない範囲内で種々変形して実施可能である。
【００６２】
例えば互いに積み重ねられるハードディスク駆動装置は、同じサイズに特定されるものではなく、下段のハードディスク駆動装置のサイズよりも上段のハードディスク駆動装置のサイズを小さくしたり、これとは逆に、上段のハードディスク駆動装置のサイズを下段のハードディスク駆動装置のサイズよりも大きくしてもよい。
【００６３】
それとともに、前記実施の形態では、一対の第１の支持片の間に一対の第２の支持片を配置しているが、本発明はこれに限らない。例えば、一対の第２の支持片の配置間隔を一対の第１の支持片の配置間隔よりも大きくすることで、一対の第２の支持片の間に一対の第１の支持片を配置するようにしてもよい。
【００６４】
加えて、前記実施の形態では、２台のハードディスク駆動装置を互いに積み重ねるようにしたが、筐体の内部のスペースに余裕があれば、３台もしくはそれ以上の数のハードディスク駆動装置を互いに積み重ねてもよい。この際、シャーシは積み重ねるハードディスク駆動装置に対応する数だけ準備する必要があることは勿論である。
【００６５】
さらに、本発明に係る電子機器は、受信機能を有するテレビ接続機器に特定されず、例えば録画専用の機器であってもよい。
【産業上の利用可能性】
【００６６】
本発明は、少なくとも２台の磁気ディスク駆動装置を互いに積み重ねた電子機器に適用することで、磁気ディスク駆動装置を取り外す際の作業性を改善できるとともに、部品点数を少なく抑えてコストの低減が可能となる。
【符号の説明】
【００６７】
２…筐体、１６ａ，１６ｂ…磁気ディスク駆動装置、１９…被取り付け部（天板）、２０…第１のシャーシ、２４…第１の支持部（第１の支持片）、２８…第２の支持部（第２の支持片）、３１…第２のシャーシ、３５…第３の支持部（第３の支持片）、３８…防振体（ゴムダンパ）。
【図１】
2011048790.tif 000003
【図２】
2011048790.tif 000004
【図３】
2011048790.tif 000005
【図４】
2011048790.tif 000006
【図５】
2011048790.tif 000007
【図６】
2011048790.tif 000008
【図７】
2011048790.tif 000009
【図８】
2011048790.tif 000010